(57)【要約】【課題】永続的に小動物が生息し易い環境を形成することによって、優れた消波機能の他に、その小動物のはたらきによって海水を浄化し、自然環境の改善を図ることのできる直立消波ブロック構造を提供する。【解決手段】海岸提、岸壁あるいは護岸等の堤防１の前面に設ける直立消波ブロック構造１０において、多数の直立消波ブロック１２を積み上げて構成したブロック構造体１１に、その上面から下面に連通し、小塊物Ｓが投入される縦孔１３を形成する。また、縦孔１３の側面を外部と連通するスリット部１４を形成する。これにより、小動物が生息できる環境を形成する。【選択図】      図２
2004316342.tif 000002
【特許請求の範囲】
【請求項１】
海岸提，岸壁あるいは護岸等の堤防（１）の前面に設ける直立消波ブロック構造であって、多数の直立消波ブロック（１２）を積み上げて構成したブロック構造体（１１）に，その上面から下面に連通し，小塊物（Ｓ）が投入される縦孔（１３）を形成し，小動物が生息できる環境を形成してなる直立消波ブロック構造。
【請求項２】
海岸提，岸壁あるいは護岸等の堤防（１）の前面に設ける直立消波ブロック構造であって、多数の直立消波ブロック（１２）を積み上げて構成したブロック構造体（１１）に，その上面から下面または下面近傍まで連通し，小塊物（Ｓ）が投入される縦孔（１３）を形成すると共に，前記縦孔の側面を外部と連通するスリット部（１４）を形成し，小動物が生息できる環境を形成してなる直立消波ブロック構造。
【発明の詳細な説明】
【０００１】
【発明の属する技術分野】本発明は、海岸提、岸壁あるいは護岸等の堤防の前面（海側）に設けられ、消波機能を有すると共に、小動物が生息するに適した環境を備えた直立消波ブロック構造に関するものである。
【０００２】
【従来の技術】近年、海岸提，岸壁，護岸等の堤防において、当該堤防の越波対策や堤脚の洗掘対策として、その前面に多数の直立消波ブロックを積み上げて形成した直立消波ブロック構造が多く見ら
る。
【０００３】
一方、自然環境の破壊や海水の汚染問題が指摘されて久しいが、海岸に生息する蟹などの小動物は有機物を補食して海水の浄化に貢献するので、こうした問題を解決するためにきわめて有用である。従って、直立消波ブロック構造にこうした小動物が生息するための環境を持たせることが望まれる。
【０００４】
しかし、従来の直立消波ブロック構造は、消波機能には優れているものの、遊水部空間が大きすぎるため、小動物にとっては生息し難い環境となっている。
【０００５】
こうした点に鑑み、これまで、図１に示すように、直立消波ブロック２０に底付きの縦孔２１を形成し、この底付き縦孔２１に小動物を生息させるようにする手段が考えられている。３０は遊水部である。
【０００６】
【発明が解決しようとする課題】しかし、この従来の直立消波ブロック２０においては、その縦孔２１に砂等が堆積して塞がれてしまうので、結果的には小動物が生息することができない。
【０００７】
本発明はこうした問題に鑑み創案されたもので、永続的に小動物が生息し易い環境を形成することによって、優れた消波機能の他に、その小動物のはたらきによって海水を浄化し、自然環境の改善を図ることのできる直立消波ブロック構造を提供することを課題とする。
【０００８】
【課題を解決するための手段】図２乃至図７を参照して説明する。第一の発明は、海岸提、岸壁あるいは護岸等の堤防１の前面に設ける直立消波ブロック構造１０であって、多数の直立消波ブロック１２を積み上げて構成したブロック構造体１１に、その上面から下面に連通し、小塊物Ｓが投入される縦孔１３を形成し、小動物が生息できる環境を形成してなるものである。
【０００９】
第二の発明は、海岸提、岸壁あるいは護岸等の堤防１の前面に設ける直立消波ブロック構造１０であって、多数の直立消波ブロック１２を積み上げて構成したブロック構造体１１に、その上面から下面または下面近傍まで連通し、小塊物Ｓが投入される縦孔１３を形成すると共に、前記縦孔１３の側面を外部と連通するスリット部１４を形成し、小動物が生息できる環境を形成してなるものである。
【００１０】
【発明の実施の形態】本発明の実施形態に係る直立消波ブロック構造１０の第一実施形態を、図２乃至図４に示す。当該ブロック構造１０は、図５に示す構造の異なる二種類のブロック１２を積み重ねて形成することができる。図５（ａ）に示すブロック１２は、その後部中央に縦孔１３とスリット部１４を備え、（ｂ）に示すブロック１２はその後部両端部に、縦孔の半分を形成する半縦孔１３ａと、スリット部１４の半分を形成する半スリット部１４ａを備えている。
【００１１】
このブロック構造は、海岸提、岸壁あるいは護岸等の堤防１の前面に設けるものであり、基礎捨石２の上に設けた基礎ブロック３上に、多数の直立消波ブロック１２を積み上げて構成したブロック構造体１１の後部（擁壁側）に、その上面から下面に連通し、小塊物Ｓが投入される縦孔１３を形成している。そして、縦孔１３の後部側面を外部と連通するスリット部１４を形成している。小塊物とは、砕石，牡蠣殻等小動物の生息し易いものである。
【００１２】
なお、本実施形態における縦孔１３は平面円形状としているが、本発明はこれに限定するものではなく、多角形状など、他のあらゆる形状のものとすることができる。また、スリット部１４も、縦孔１３の側面を外部に連通するものであれば良く、その形状は限定しない。
【００１３】
この直立消波ブロック構造１０は、上面から下面に連通する縦孔１３を形成し、その縦孔１３に小塊物Ｓを投入するので、縦孔１３の内部に多数の小孔や小通路を形成することができ、小動物が生息するに適した環境を作ることができる。これにより、小動物の生息を促し、海水の浄化と自然環境の改善を図ることができる。
【００１４】
また、この縦孔１３は上面から下面に連通しているので、上から侵入してきた砂等は下面から排出される。従って、縦孔１３が砂等によって塞がれることがなく、小動物の生息に適した環境を永続的に維持することができる。
【００１５】
さらに、この縦孔１３には、その側面と外部を連通するスリット部１４を形成しているので、小動物の縦孔１３への自由な出入りを可能とし、より生息に適した環境を形成することができる。また、縦孔１３に侵入した砂等を、このスリット部１４からも排出することができるので、縦孔１３に砂等が堆積するのをより確実に防止することができる。
【００１６】
なお、図６に示すように、縦孔１３を上面から下面に連続して形成した場合、必ずしもスリット部１４を設ける必要はない。この場合、縦孔１３に侵入した砂等を下面から排出することができるので、砂等の堆積を防ぐことができる。
【００１７】
本発明に係る直立消波ブロック構造１０の第二実施形態を、図７に示す。このブロック構造の特徴は、縦孔１３を上面から下面の近傍まで形成し、スリット部１４も同様に上面から下面近傍まで形成したことである。縦孔１３を下面まで形成していないものの、スリット部１４を縦孔１３と同じように形成しているので、縦孔１３に侵入した砂等をこのスリット部１４から容易に排出することができる。従って、第一実施形態と同様に、小動物の生息に適した環境を作り出すことができる。３０は遊水部である。
【００１８】
【発明の効果】請求項１に記載の直立消波ブロック構造１０は、上面から下面に連通し、小塊物Ｓが投入される縦孔１３を形成しているので、その縦孔１３の内部を多孔状態として小動物が生息するに適した環境を作ることができる。従って、ここに生息する小動物のはたらきによって、海水の浄化と自然環境の改善を図ることができる。
【００１９】
また、この縦孔１３は上面から下面に連通しているので、上から侵入してきた砂等を下面から排出することができる。従って、縦孔１３が砂等によって塞がれることがなく、小動物の生息に適した環境を永続的に維持することができる。
【００２０】
請求項２に記載の直立消波ブロック構造１０は、請求項１に記載の発明と同様に小動物が生息するに適した環境を形成することができると共に、縦孔１３に、その側面を外部に連通するスリット部１４を形成しているので、小動物の縦孔１３への自由な出入りを可能とし、より生息に適した環境を形成することができる。
【００２１】
また、縦孔１３に侵入した砂等を、このスリット部１４からも排出することができるので、縦孔１３に砂等が堆積するのをより確実に防止することができる。これにより、小動物が生息するために、より適した環境を形成することができ、海水の浄化と環境の改善をさらに効果的に図ることができる。
【図面の簡単な説明】
【図１】従来例に係る直立消波ブロック構造を形成する直立消波ブロックを示すもので、（ａ）は断面図、（ｂ）は平面図である。
【図２】本発明に係る直立消波ブロック構造の第一実施形態を示す断面図である。
【図３】図２に示すブロック構造の平面図である。
【図４】図２に示すブロック構造の背面図である。
【図５】図２に示すブロック構造を形成するブロックの後部を示す要部斜視図である。
【図６】図２に示すブロック構造の他の実施態様を示す平面図である。
【図７】本発明に係る直立消波ブロック構造の第二実施形態を示す斜視図である。
【符号の説明】
１        堤防
２        基礎捨石
３        基礎ブロック
１０      直立消波ブロック構造
１１      ブロック構造体
１２      直立消波ブロック
１３      縦孔
１３ａ    半縦孔
１４      スリット部
１４ｂ    半スリット部
２０      直立消波ブロック
２１      底付き縦孔
３０      遊水部
Ｓ        小塊物
【図１】
2004316342.tif 000003
【図２】
2004316342.tif 000004
【図３】
2004316342.tif 000005
【図４】
2004316342.tif 000006
【図５】
2004316342.tif 000007
【図６】
2004316342.tif 000008
【図７】
2004316342.tif 000009